(57)【要約】【課題】香り成分により嗅覚が刺激されることによるアロマテラピー効果を得ることができ、且つ、安全な芳香耳栓を提供する。【解決手段】芳香耳栓１０は、耳栓基体１１と、耳栓基体１１の耳孔反挿入側端部１１ｂに位置された保持部と、を備え、保持部は香料を担持させてなる。また、保持部は香料液が含浸されてなる。さらに、保持部は香料液が塗布されてなる。そして、保持部、もしくはこの保持部を含む耳栓基体１１は香料を練り込んだ樹脂からなる。【選択図】図１
0003234607.tif 000002
【実用新案登録請求の範囲】
【請求項１】
耳栓基体と、該耳栓基体の耳孔反挿入側端部に位置された保持部と、を備え、
前記保持部は香料を担持させてなることを特徴とする、芳香耳栓。
【請求項２】
耳栓基体と、該耳栓基体の耳孔反挿入側端部に位置された保持部と、を備え、
前記保持部は香料液が含浸されてなることを特徴とする、芳香耳栓。
【請求項３】
耳栓基体と、該耳栓基体の耳孔反挿入側端部に位置された保持部と、を備え、
前記保持部は香料液が塗布されてなることを特徴とする、芳香耳栓。
【請求項４】
耳栓基体と、該耳栓基体の耳孔反挿入側端部に位置された保持部と、を備え、
前記保持部、もしくは該保持部を含む前記耳栓基体は香料を練り込んだ樹脂からなることを特徴とする、芳香耳栓。
【考案の詳細な説明】
【技術分野】
【０００１】
本考案は、芳香により嗅覚を刺激するべく香り成分を放散する芳香耳栓に関する。
【背景技術】
【０００２】
耳栓本体の耳孔挿入側端面に設けた穴に円筒形状の香料担持体（挿入体）を挿入した後、その香料担持体に香料液を含浸させたアロマテラピー用耳栓は公知である（特許文献１参照）。
【先行技術文献】
【特許文献】
【０００３】
【特許文献１】特開２００４−２３６８１６号公報
【考案の概要】
【考案が解決しようとする課題】
【０００４】
特許文献１の耳栓は、香料担持体に含浸させた香料液の揮発香気を耳孔内部に充満させて、香り成分を耳孔内皮膚及び鼓膜の毛細血管を流れる血液に浸透させることにより、自律神経を制御し速やかで安らかな入眠を促す或いは集中力を増強する等の効果を発揮するものである。すなわち、特許文献１の耳栓は、香り成分を血流に乗せて脳に運ぶことにより、香り成分を脳神経系に直接作用させることを狙ったものであり、呼吸時に鼻から吸引した香り成分により嗅覚が刺激されることによる本来のアロマテラピー効果を発揮するものではない。
【０００５】
また、特許文献１の耳栓は、香料液を含浸する香料担持体が耳栓本体の耳孔挿入側端面に設けた穴に挿入されるため、耳栓着用時に香料担持体が耳栓本体から外耳道内に脱落する危険性がある。
【０００６】
本考案の目的は、香り成分により嗅覚が刺激されることによるアロマテラピー効果が得られ、且つ、安全な芳香耳栓を提供することにある。
【課題を解決するための手段】
【０００７】
上記課題を解決するために、本考案の一態様の芳香耳栓は、  耳栓基体と、該耳栓基体の耳孔反挿入側端部に位置された保持部と、を備え、上記保持部は香料を担持させてなることを特徴とする。
【０００８】
上記のように構成された芳香耳栓は、耳栓基体の耳孔反挿入側端部に位置された保持部に香料が担持されているので、香り成分により嗅覚が刺激されることによるアロマテラピー効果を得ることができ、且つ、耳栓着用時に香料担持体が外耳道内に脱落する危険とは無縁である。
【０００９】
また、他の態様の芳香耳栓は、耳栓基体と、該耳栓基体の耳孔反挿入側端部に位置された保持部と、を備え、上記保持部は香料液が含浸されてなることを特徴とする。
【００１０】
上記のように構成された芳香耳栓は、耳栓基体の耳孔反挿入側端部に位置された保持部に香料液が含浸されているので、香り成分により嗅覚が刺激されることによるアロマテラピー効果を得ることができ、且つ、耳栓着用時に香料担持体が外耳道内に脱落する危険とは無縁である。
【００１１】
さらに、別の態様の芳香耳栓は、耳栓基体と、該耳栓基体の耳孔反挿入側端部に位置された保持部と、を備え、上記保持部は香料液が塗布されてなることを特徴とする。
【００１２】
上記のように構成された芳香耳栓は、耳栓基体の耳孔反挿入側端部に位置された保持部に香料液が塗布されているので、香り成分により嗅覚が刺激されることによるアロマテラピー効果を得ることができ、且つ、耳栓着用時に香料担持体が外耳道内に脱落する危険とは無縁である。
【００１３】
そして、さらに別の一態様の芳香耳栓は、耳栓基体と、該耳栓基体の耳孔反挿入側端部に位置された保持部と、を備え、上記保持部、もしくは該保持部を含む上記耳栓基体が香料を練り込んだ樹脂からなることを特徴とする。
【００１４】
上記のように構成された芳香耳栓は、上記保持部、もしくは該保持部を含む上記耳栓基体そのものに香料が練り込まれているので、香り成分により嗅覚が刺激されることによるアロマテラピー効果を得ることができ、且つ、耳栓着用時に香料担持体が外耳道内に脱落する危険とは無縁である。
【考案の効果】
【００１５】
本考案によれば、香り成分により嗅覚が刺激されることによるアロマテラピー効果を得ることができ、且つ、安全な芳香耳栓を提供することができる。
【図面の簡単な説明】
【００１６】
【図１】第１実施形態の芳香耳栓の側面図である。
【図２】図１に示す耳栓基体の耳孔反挿入側端部の保持部に香料液を含浸させる方法の一例を示す概念図である。
【図３】図１に示す耳栓基体の耳孔反挿入側端部の保持部に香料液を含浸させる方法の別の一例を示す概念図である。
【図４】第２実施形態の芳香耳栓の側面図である。
【図５】図４に示す耳栓基体の耳孔反挿入側端部の保持部に香料液を塗布する方法の一例を示す概念図である。
【図６】第３実施形態の芳香耳栓の側面図である。
【考案を実施するための形態】
【００１７】
以下、本考案の実施形態について添付図面を参照しつつ説明する。
【００１８】
［第１実施形態］
図１に示す芳香耳栓１０は、耳孔に挿入される側の端部１１ａが丸みを帯び、耳孔に挿入される側とは反対側の端部、すなわち耳孔反挿入側端部１１ｂの端面１１ｃが略平坦面になっている弾丸形の耳栓基体１１を有する。耳栓基体１１は、樹脂を金型内で発泡させた後、硬化させることに製造される。耳栓基体１１の樹脂素材には、例えば、ポリウレタン、弾性発泡ポリマ、等が用いられる。
【００１９】
耳栓基体１１の耳孔反挿入側端部１１ｂには、所定量（例えば約０．１ｃｃ〜０．２ｃｃ）の香料液が含浸されている。耳孔反挿入側端部１１ｂに香料液を含浸させる方法としては、図２に例示するように、耳孔反挿入側端部１１ｂに針Ｎを射して香料液Ｌを注入する方法、図３に例示するように、耳孔反挿入側端部１１ｂを香料液Ｌに浸漬する方法、等を挙げることができる。すなわち、耳孔反挿入側端部１１ｂは、香り成分を発生する香料を保持する保持部として機能する。
【００２０】
第１実施形態の構成によれば、耳栓基体１１の耳孔反挿入側端部（香料保持部）１１ｂに香料液Ｌが含浸されているので、芳香耳栓１０の着用時に耳孔から露出した耳孔反挿入側端部（香料保持部）１１ｂの表面から放散される香り成分により嗅覚が刺激されることによるアロマテラピー効果を得ることができる。また、芳香耳栓１０の着用時に香料担持体が外耳道内に脱落する危険とは無縁であるので、安全性が高い。
【００２１】
以下の説明では、第１実施形態と共通の構成要素については同一符号を付し、その説明を省略する。
［第２実施形態］
図４に示す芳香耳栓２０は耳栓基体１１と、当該耳栓基体１１の耳孔反挿入側端部１１ｂに位置された保持部と、を有する。耳栓基体１１の耳孔反挿入側端部（保持部）１１ｂの表面には、所定量（例えば約０．１ｃｃ〜０．２ｃｃ）の香料液が塗布されている。耳孔反挿入側端部１１ｂの表面に香料液を塗布させる方法としては、図５に例示するように、香料液Ｌを耳孔反挿入側端部（保持部）１１ｂに向けて噴霧する方法を挙げることができる。
【００２２】
第２実施形態の構成によれば、耳栓基体１１の耳孔反挿入側端部（保持部）１１ｂの表面に香料液Ｌが塗布されているので、芳香耳栓２０の着用時に耳孔から露出した耳孔反挿入側端部１１ｂの表面から放散される香り成分により嗅覚が刺激されることによるアロマテラピー効果を得ることができる。また、芳香耳栓２０の着用時に香料担持体が外耳道内に脱落する危険とは無縁であるので、安全性が高い。
【００２３】
［第３実施形態］
図６に示す芳香耳栓３０は、耳孔に挿入される側の端部３１ａが丸みを帯び、耳孔に挿入される側とは反対側の端部、すなわち耳孔反挿入側端部３１ｂの端面３１ｃが略平坦面になっている弾丸形の耳栓基体３１を有する。本実施形態の耳栓基体３１は、香料を練り込んだ樹脂を金型内で発泡させた後、硬化させることに製造される。耳栓基体３１の樹脂素材には、例えば、ポリウレタン、弾性発泡ポリマ、等が用いられる。本実施形態では、耳栓基体３１が香料を練り込んだ樹脂により形成されているが、これに限定されず、耳孔反挿入側端部（保持部）３１ｂのみが香料を練り込んだ樹脂によって形成されていてもよい。
【００２４】
第３実施形態の構成によれば、芳香耳栓３０の耳栓基体３１そのもの、もしくは耳孔反挿入側端部（保持部）３１ｂに香料が練り込まれているので、芳香耳栓３０の着用時に耳孔から露出した耳孔反挿入側端部３１ｂの表面から放散される香り成分により嗅覚が刺激されることによるアロマテラピー効果を得ることができる。また、芳香耳栓３０の着用時に香料担持体が外耳道内に脱落する危険とは無縁であるので、安全性が高い。
【００２５】
なお、本考案は上記実施形態に限定されない。例えば、上記実施形態では、耳栓基体１１、３１の例として弾丸形ものを示したが、耳栓基体１１、３１は、円柱形、フランジ形などその他のものであってもよい。
【００２６】
また、第１実施形態において、香料液Ｌは、耳栓基体１１の少なくとも耳孔反挿入側端部（保持部）１１ｂに含浸されていればよく、耳栓基体１１の全体に含浸されてもよい。また、第２実施形態において、香料液Ｌは、耳栓基体１１の少なくとも耳孔反挿入側端部（保持部）１１ｂに塗布されていればよく、耳栓基体１１の全体に塗布されてもよい。
【符号の説明】
【００２７】
１０、２０、３０  芳香耳栓
１１、３１  耳栓基体
１１ｂ、３１ｂ  耳孔反挿入側端部（保持部）
Ｌ  香料液
【図１】
0003234607.tif 000003
【図２】
0003234607.tif 000004
【図３】
0003234607.tif 000005
【図４】
0003234607.tif 000006
【図５】
0003234607.tif 000007
【図６】
0003234607.tif 000008